(57)【要約】【課題】切断ワイヤの破損を防止するワイヤソーを提供する。【解決手段】切断エリア１３と、ワイヤ供給ユニット５とワイヤ受入ユニット６とを有し、切断ワイヤ３を第１、第２方向に案内するワイヤ管理システム７とを含み、ワイヤ供給ユニット５が、保管スプール２を駆動させて、その回転軸線２ｂを中心として回転する回転駆動装置１１であって、保管スプール２は、切断ワイヤ３の一部分を一時的に受け入れ、ワイヤソーの使用時には、新しいワイヤを装填するための収容スプール１が、着脱可能式に取り付けられる、回転駆動装置と、ワイヤソーの使用時には、１０本以下の巻線が相互に保管スプール２上で重複するまたは、保管スプール２の上の巻線が収容スプール１の上の巻線よりも低い密度を有するように、切断ワイヤ３を保管スプール２へ案内するワイヤ案内手段９と、を含む。【選択図】図１
2018065247.tif 000002
【特許請求の範囲】
【請求項１】
ワイヤソー（８）であって、
切断エリア（１３）と、
前記切断エリア（１３）で切断ワイヤ（３）を第１方向と前記第１方向と反対である第２方向に案内するためのワイヤ管理システム（７）であって、前記切断エリア（１３）へ前記切断ワイヤ（３）を供給するためのワイヤ供給ユニット（５）と、前記切断エリア（１３）から前記切断ワイヤ（３）を受け入れるためのワイヤ受入ユニット（６）とを包含するワイヤ管理システム（７）と、を包含し、
前記ワイヤ供給ユニット（５）が、
保管スプール（２）を駆動させて、その回転軸線（２ｂ）を中心として回転する回転駆動装置(１１)であって、前記保管スプール（２）は、前記切断ワイヤ（３）の一部分を一時的に受け入れ、前記ワイヤソー（８）の使用時には、前記保管スプール（２）の一端部と収容スプール（１）の一端部とが対向するように、新しいワイヤを装填するための前記収容スプール（１）が、着脱可能式に前記保管スプール（２）に取り付けられる、回転駆動装置(１１)と、
切断プロセスにおける前記ワイヤソー（８）の使用時には、１０本以下の巻線が相互に前記保管スプール（２）の上で重複する、および／または、前記保管スプール（２）の上の前記巻線が前記収容スプール（１）の上の前記巻線よりも低い密度を有するように、前記切断ワイヤ（３）を前記保管スプール（２）へ案内するのに適応したワイヤ案内手段（９）と、
を包含しているワイヤソー。
【請求項２】
前記収容スプール（１）と前記保管スプール（２）とが相互に隣接して取り付けられる、請求項１に記載のワイヤソー。
【請求項３】
前記保管スプール（２）のワイヤ支承面（２ａ）の長さが前記収容スプール（１）のワイヤ支承面（１ａ）の長さより大きい、請求項１に記載のワイヤソー。
【請求項４】
前記保管スプール（２）の前記回転軸線（２ｂ）が前記収容スプール（１）の回転軸線（１ｂ）と一致する、請求項１に記載のワイヤソー。
【請求項５】
前記保管スプール（２）が、１００メートルを超える切断ワイヤ（３）を保管することが可能である、請求項１から４のいずれか１項に記載のワイヤソー。
【請求項６】
前記保管スプール（２）が、切断ワイヤ（３）を非重複状態で保管することが可能である、請求項１に記載のワイヤソー。
【請求項７】
前記ワイヤ供給ユニット（５）が、前記収容スプール（１）の回転速度と前記保管スプール（２）の回転速度とを互いに同期化することが可能な同期化手段を包含する、請求項１から４のいずれか１項に記載のワイヤソー。
【請求項８】
前記同期化手段が前記保管スプール（２）と前記収容スプール（１）との間の固定接続であり、前記保管スプール（２）と前記収容スプール（１）とが共通の回転駆動装置を有している、請求項７に記載のワイヤソー。
【請求項９】
前記保管スプール（２）と前記収容スプール（１）の各々が独自の回転駆動装置（１０，１１）を有し、前記回転駆動装置（１０，１１）に接続される制御デバイスの形の前記同期化手段が、前記回転駆動装置（１０，１１）を同期化する、請求項７に記載のワイヤソー。
【請求項１０】
前記ワイヤ案内手段（９）が、前記保管スプール（２）の長さにわたって前記保管スプール（２）の前記回転軸線（２ｂ）に沿って移動可能であるトラベラプーリ（４）を包含する、請求項１から４のいずれか１項に記載のワイヤソー。
【請求項１１】
前記トラベラプーリ（４）もまた前記収容スプール（１）の長さにわたって前記収容スプール（１）の前記回転軸線（１ｂ）に沿って移動可能である、請求項１０に記載のワイヤソー。
【請求項１２】
前記保管スプール（２）がドラムとして構成され、マントルを包含する、請求項１から４のいずれか１項に記載のワイヤソー。
【請求項１３】
前記マントルが、螺旋ワイヤ案内溝を包含する、請求項１２に記載のワイヤソー。
【請求項１４】
前記マントルが、弾性コーティングを包含する、請求項１２に記載のワイヤソー。
【請求項１５】
ワイヤソー（８）であって、切断エリア（１３）と、前記切断エリア（１３）で切断ワイヤ（３）を第１方向と前記第１方向と反対である第２方向に案内するためのワイヤ管理システム（７）であって、前記切断エリア（１３）へ前記切断ワイヤ（３）を供給するためのワイヤ供給ユニット（５）と、前記切断エリア（１３）から前記切断ワイヤ（３）を受け入れるためのワイヤ受入ユニット（６）とを包含するワイヤ管理システム（７）と、を包含し、
前記ワイヤ受入ユニット（６）が、
保管スプール（２）を駆動させて、その回転軸線（２ｂ）を中心として回転する回転駆動装置(１１)であって、前記保管スプール（２）は、前記切断ワイヤ（３）の一部分を一時的に受け入れ、前記ワイヤソー（８）の使用時には、前記保管スプール（２）の一端部と収容スプール（１）の一端部とが対向するように、新しいワイヤを装填するための前記収容スプール（１）が、着脱可能式に前記保管スプール（２）に取り付けられる、回転駆動装置(１１)と、
切断プロセスにおける前記ワイヤソー（８）の使用時には、１０本以下の巻線が相互に前記保管スプール（２）の上で重複する、および／または、前記保管スプール（２）の上の前記巻線が前記収容スプール（１）の上の前記巻線よりも低い密度を有するように、前記切断ワイヤ（３）を前記保管スプール（２）へ案内するのに適応したワイヤ案内手段（９）と、
を包含しているワイヤソー。
【請求項１６】
前記収容スプール（１）と前記保管スプール（２）とが相互に隣接して取り付けられる、請求項１５に記載のワイヤソー。
【請求項１７】
前記保管スプール（２）のワイヤ支承面（２ａ）の長さが前記収容スプール（１）のワイヤ支承面（１ａ）の長さより大きい、請求項１５に記載のワイヤソー。
【請求項１８】
前記保管スプール（２）の前記回転軸線（２ｂ）が前記収容スプール（１）の回転軸線（１ｂ）と一致する、請求項１５に記載のワイヤソー。
【請求項１９】
前記保管スプール（２）が、１００メートルを超える切断ワイヤ（３）を保管することが可能である、請求項１５から１８のいずれか１項に記載のワイヤソー。
【請求項２０】
前記保管スプール（２）が、切断ワイヤ（３）を非重複状態で保管することが可能である、請求項１５に記載のワイヤソー。
【請求項２１】
前記ワイヤ受入ユニット（６）が、前記収容スプール（１）の回転速度と前記保管スプール（２）の回転速度とを互いに同期化することが可能な同期化手段を包含する、請求項１５から１８のいずれか１項に記載のワイヤソー。
【請求項２２】
前記同期化手段が前記保管スプール（２）と前記収容スプール（１）との間の固定接続であり、前記保管スプール（２）と前記収容スプール（１）とが共通の回転駆動装置を有している、請求項２１に記載のワイヤソー。
【請求項２３】
前記保管スプール（２）と前記収容スプール（１）の各々が独自の回転駆動装置（１０，１１）を有し、前記回転駆動装置（１０，１１）に接続される制御デバイスの形の前記同期化手段が、各回転駆動装置（１０，１１）を同期化する、請求項２１に記載のワイヤソー。
【請求項２４】
前記ワイヤ案内手段（９）が、前記保管スプール（２）の長さにわたって前記保管スプール（２）の前記回転軸線（２ｂ）に沿って移動可能であるトラベラプーリ（４）を包含する請求項１５から１８のいずれか１項に記載のワイヤソー。
【請求項２５】
前記トラベラプーリ（４）もまた前記収容スプール（１）の長さにわたって前記収容スプール（１）の前記回転軸線（１ｂ）に沿って移動可能である、請求項２４に記載のワイヤソー。
【請求項２６】
前記保管スプール（２）がドラムとして構成され、マントルを包含する、請求項１５から１８のいずれか１項に記載のワイヤソー。
【請求項２７】
前記マントルが、螺旋ワイヤ案内溝を包含する、請求項２６に記載のワイヤソー。
【請求項２８】
前記マントルが、弾性コーティングを包含する、請求項２６に記載のワイヤソー。
【請求項２９】
ワイヤソー（８）による材料の切断方法であって、前記ワイヤソー（８）が、切断エリア（１３）と、前記切断エリア（１３）で、切断ワイヤ（３）を案内するワイヤ案内ローラ（１４）と、保管スプール（２）と新ワイヤを装填するための前記保管スプール（２）に隣接して取り付けられる収容スプール（１）とを駆動するための回転駆動装置（１１）を包含する、ワイヤ供給ユニット（５）と、前記切断ワイヤ（３）を受け入れるための前記保管スプール（２）を包含するワイヤ受入ユニット（６）と、を包含し、前記切断方法は、切断プロセスを包含し、
前記切断プロセスにおいて、前記切断ワイヤ（３）が新ワイヤ側（１８）から使用後ワイヤ側（１９）へ第１方向に移動する間に、前記切断ワイヤ（３）が前記ワイヤ供給ユニット（５）の前記保管スプール（２）から巻き出され、前記切断エリア（１３）を移動し、前記使用後ワイヤ側（１９）へ移送されて前記ワイヤ受入ユニット（６）の前記保管スプール（２）に巻き付けられ、
前記切断ワイヤ（３）が前記使用後ワイヤ側（１９）から前記新ワイヤ側（１８）へ第２方向に移動する間に、前記切断ワイヤ（３）が前記ワイヤ受入ユニット（６）の前記保管スプール（２）から巻き出され、前記切断エリア（１３）を移動し、前記新ワイヤ側（１８）へ移送されて前記ワイヤ供給ユニット（５）の前記保管スプール（２）に巻き付けられる、切断方法。
【請求項３０】
新ワイヤ装填プロセスをさらに含み、前記新ワイヤ装填プロセスにおいて、前記ワイヤ供給ユニット（５）の前記収容スプール（１）からの前記切断ワイヤ（３）が、前記第１方向の前記切断エリア（１３）に追加される、請求項２９に記載の切断方法。
【請求項３１】
前記ワイヤソー（８）の前記ワイヤ受入ユニット（６）が、使用後ワイヤを収集するための収容スプール（１）を包含し、前記切断方法が使用後ワイヤの外向き移送プロセスを包含し、
使用後ワイヤの前記外向き移送プロセスは、すでに使用された切断ワイヤ（３）の一部分が前記切断エリア（１３）から前記ワイヤ受入ユニット（６）の前記収容スプール（１）へ移送されて、同時に切断ワイヤ（３）の一部分が前記ワイヤ供給ユニット（５）の前記保管スプール（２）から巻き出されて前記切断エリア（１３）へ移送される、請求項２９に記載の切断方法。
【請求項３２】
前記ワイヤ供給ユニット（５）の前記保管スプール（２）から巻き出され、前記切断エリア（１３）へ移送される前記切断ワイヤ（３）の前記一部分が、前記切断エリア（１３）から前記ワイヤ受入ユニット（６）の前記収容スプール（１）へ移送されるすでに使用された切断ワイヤ（３）の前記一部分と等しい長さである、請求項３１に記載の切断方法。
【請求項３３】
前記第１方向での前記切断ワイヤ（３）の前記移動が、前記ワイヤ供給ユニット（５）の前記保管スプール（２）のワイヤ支承面（２ａ）の長さの少なくとも６０％に切断ワイヤが存在しなくなるまで続けられてから、前記切断ワイヤ（３）の移動方向が逆転される、請求項２９に記載の切断方法。
【発明の詳細な説明】
【技術分野】
【０００１】
本発明は、切断エリアで案内される切断ワイヤを有するワイヤソーと、ワイヤソーによる材料の切断方法とに関する。
【０００２】
本発明は特に、固定砥粒ソーイング技術に関する。今日、半導体応用、太陽電池、またはＬＥＤのためのウェハは、固定砥粒を使用して切断されることが一層多くなっている。スラリに懸濁されて、切断を行うため金属ワイヤにより搬送される砥粒は、もう見られない。砥粒は金属ワイヤに直接塗着される。このようなワイヤは固定砥粒ワイヤ（ダイヤモンドワイヤなど）と呼ばれる。
【背景技術】
【０００３】
これらのソーイング技術は、半導体、電子部品、太陽光発電、光学部品、およびフォトニクスの産業で使用される。ソーイング対象となる典型的な（脆性）材料は、ＧａＡｓ、ゲルマニウム、多結晶か単結晶かモノライクシリコン、ＩｎＰ、石英、サファイア、または他のセラミック材料である。
【０００４】
ワイヤソーのワイヤ案内ロールはポリウレタンコーティングされ、切断ワイヤを案内するための溝をワイヤ受入面に有する。ダイヤモンドワイヤは、これらの溝でワイヤ案内ロールにウェブ状に設けられる。溝のピッチ（つまり溝パターンが繰り返される距離）は、使用されるワイヤ直径とともに、ソーイングされるウェハの厚さを決定するだろう。
【０００５】
使用後ワイヤに残っているソーイング性能がそれほど低下していない条件ではワイヤウェブの一部が前の切断ですでに使用されていても固定砥粒ワイヤが連続切断で継続的に使用されうる場合には、固定砥粒ウェハ成形プロセスのコストはかなり削減されうる。ソーイング性能は、プロセス中のワイヤ撓曲（ワイヤの湾曲）により測定されうる。ソーイング可能性を失ったワイヤは、新品の未使用ワイヤよりも多く撓曲する（高い湾曲を持つ）だろう。
【０００６】
切断ワイヤを二方向に移動させることによりダイヤモンドワイヤでシリコンを切断することは慣例である。普通のハンドソーと全く同じように、ワイヤは前後に動かされる。通常は、正方向切断（ワイヤが供給スプールから受入（または廃棄）スプールまで移動する）は、反対方向よりも若干長い。これはいわゆるピルグリムモードである。ピルグリムモードは、新しい未使用ワイヤの断続的な追加を招く。これは驚くことではないだろうが、スラリ切断のためにはワイヤは一方向のみに動くのが普通なので、使用されるピルグリムモードは通常の切断方法ではない。
【０００７】
切断プロセスを開始する前に、切断ワイヤがワイヤソーに載置される。特許文献１は、ワイヤ管理システムを有するワイヤソーを図１に示しており、ワイヤソーは切断準備状態である。ピルグリム動作を行うため、切断ワイヤが供給スプールから巻き出され、切断エリアを進むことによりワイヤウェブを形成し、それから受入スプール（廃棄スプール）へ巻き取られる。普通は、供給スプールと、受入スプールと、ワイヤウェブを形成するワイヤ案内ローラとが駆動される。
【０００８】
ワイヤは、一方向に例えば５００〜６００メートル進む。つまり、開始点と比較すると、５００〜６００メートルの追加分が供給スプールから受入スプールへ巻き出されるが、受入スプールから供給スプールへ巻き戻されるのは例えば４９０〜５９０メートルのみである。こうして、新しいワイヤがワイヤウェブへ給送される。切断される工作物へ切断ワイヤ部分が到達しなくなる（つまり、この部分の後方に多くの切断ワイヤが給送されるため、ワイヤが戻った時にはもう工作物に到達しない）と、ワイヤは消耗したと言うべきであり、切断ワイヤ上のダイヤモンドが削られてしまっているか、ワイヤから離脱している。
【０００９】
供給スプールおよび受入スプール上の切断ワイヤの多数の重複巻線はワイヤを破損させることが判明している。スプールを離れるかスプールに達する最上部のワイヤ部分とその下に配設されるワイヤ部分との間に生じる摩擦は、ワイヤの寿命を短くすることでコストを上げる。ワイヤどうしが巻かれる時には摩擦が生じる。
【００１０】
特許文献２は、供給スプールに続いて中間ホイールを有するワイヤ管理システムを開示している。切断ワイヤは供給スプールから巻き出され、ワイヤウェブへ進む前に中間ホイールへ進む。ワイヤがワイヤウェブを離れる時には、受入スプールへ巻き付けられる前に第２中間ホイールに進む。明らかに、新しいワイヤを供給スプールから導入せずに中間ホイールが切断ワイヤを供給できる限り、切断ワイヤはワイヤウェブに給送されうる。また、中間ホイールの直径がＤである場合には、供給スプールおよび受入スプールを回転させる必要を伴わずに、πＤのワイヤが切断に使用されうる。しかし、中間ホイールに一時的に保管されうるワイヤ部分の長さは非常に短い。有効なピルグリムモードでは、方向を逆転する前に切断ワイヤを数百メートル、例えば５００または６００メートル走行させることが必要である。そのため、特許文献２に開示されているシステムは、３００枚までのウェハを同時に切断するのには適していない。さらに、減速して方向を変える前に、ワイヤは最高速度に達することはない。切断効率はワイヤの速度に左右されるので、これは、ワイヤ（実際にはすべてのプーリおよびロール）が非常に頻繁に加速されなければならないという望ましくない結果につながるだろう。その結果、切断には好ましくない低い平均ワイヤ速度となり、大量のエネルギーを必要することになるだろう。
【００１１】
特許文献３は、ワイヤ管理システムを有するワイヤソーを開示している。ワイヤが低い張力で供給および受入スプールに巻き付けられるように、切断ワイヤの張力を低下させるのに中間キャプスタンドラムが使用される。これは、プーリおよびロールがあまりに短時間で摩損するのを防止しうる。しかし、ワイヤの張力はゼロまで低減されえないので、収容スプールへの巻き付けおよび巻き出しの際には、やはりワイヤが傷ついてしまう。さらに、これら中間ドラムの各々は、高い動的制御を有する別々の駆動装置を必要とする。
【００１２】
このシステムの問題は、ワイヤが常時、張力状態に保持されなければならないという事実に存する。さもなければ、不確定な作用が生じるだろう。この文献はまた、巻線が互いに絡まるという問題を解決していない。ワイヤは巻き付け手順の間に摩耗する。高い張力を有する尖鋭な未使用ワイヤは、下のワイヤ巻線と摩擦を生じるだろう。
【先行技術文献】
【特許文献】
【００１３】
【特許文献１】スイス特許第６９１２９２Ａ５号明細書
【特許文献２】特開２０００−１５８４３６号公報
【特許文献３】特開２０００−０２４９０５号公報
【特許文献４】中国特許出願公開１０１６２８４５１Ａ号明細書
【特許文献５】中国特許出願公開１０２１５２２１５Ａ号明細書
【特許文献６】国際公開第２０１２／０１８６７８Ａ１号パンフレット
【発明の概要】
【発明が解決しようとする課題】
【００１４】
本発明の目的は、これらの問題を克服することと、切断ワイヤの破損を防止するワイヤソーを提供することである。ワイヤソーは特に、スプールでのワイヤの相対移動（ワイヤ対ワイヤの摩擦／擦過）によるワイヤ破損を防止するはずである。低摩損のワイヤ管理によって、切断ワイヤの寿命が延長されるはずである。低摩損ワイヤ管理では、先行技術よりもはるかに長く同じワイヤ部分を使用することができる。こうして、新しい切断ワイヤ部分を追加するサイクルも、本発明により延長可能となるはずである。最後に、ワイヤ管理システムそのものは構築が容易で、省スペースかつコスト効率が高い。ワイヤソーでは、低いスペース要件で大量のワイヤを保管することが可能なはずである。
【００１５】
新ワイヤ用の収容スプールに多くのワイヤを設けること（大量収容保管）の特に大きな利点の一つは、以下の通りである。ワイヤの最終部分が完全に使い切られない。この部位がその状態に達する前に、この部分の先行部位が完全に摩損してワイヤ破損につながりうる。ワイヤの最初と最後の部分は、ワイヤウェブに全く到達できないので、これらが切断に使用されることは皆無である。これは収容スプールに装着され、ワイヤウェブまで／の中を移動しない。要するに、ワイヤの最初と最後の部分は効率的に使用されえないのである。収容スプール上のワイヤを長くすると、効率的に使用されないワイヤ部分の割合を減少させることは明らかである。また、一つの収容スプール上のワイヤはこのような部分を二つ有するのに対して、合計で同じ量のワイヤを含む二つのスプールはこのような部分を四つ有して、損失が二倍になる。
【課題を解決するための手段】
【００１６】
本発明のワイヤソー（８）は、切断エリア（１３）と、前記切断エリア（１３）で切断ワイヤ（３）を第１方向と前記第１方向と反対である第２方向に案内するためのワイヤ管理システム（７）であって、前記切断エリア（１３）へ前記切断ワイヤ（３）を供給するためのワイヤ供給ユニット（５）と、前記切断エリア（１３）から前記切断ワイヤ（３）を受け入れるためのワイヤ受入ユニット（６）とを包含するワイヤ管理システム（７）と、を包含し、前記ワイヤ供給ユニット（５）が、保管スプール（２）を駆動させて、その回転軸線（２ｂ）を中心として回転する回転駆動装置(１１)であって、前記保管スプール（２）は、前記切断ワイヤ（３）の一部分を一時的に受け入れ、前記ワイヤソーの使用時には、前記保管スプール（２）の一端部と収容スプール（１）の一端部とが対向するように、新しいワイヤを装填するための前記収容スプール（１）が、着脱可能式に前記保管スプール（２）に取り付けられる、回転駆動装置(１１)と、切断プロセスにおける前記ワイヤソーの使用時には、１０本以下の巻線が相互に前記保管スプール（２）の上で重複する、および／または、前記保管スプール（２）の上の前記巻線が前記収容スプール（１）の上の前記巻線よりも低い密度を有するように、前記切断ワイヤ（３）を前記保管スプール（２）へ案内するのに適応したワイヤ案内手段（９）と、を包含している。
【００１７】
進歩的なワイヤ管理システムは、ワイヤ破損のリスクを効率的に低減し、切断ワイヤの寿命を延長し、ダイヤモンドなどの研磨粒子の不要な損失を低減させる。これは、切断手順の間の切断ワイヤの摩損を低減することにより達成される。
【００１８】
収容スプールは、大量の切断ワイヤを重複巻線として支承することができる。保管スプールは、切断ワイヤを非重複巻線として支承することができる。保管スプールは、ピルグリムサイクル中に、つまり切断ワイヤが第１方向に動かされてから逆転される間に使用されるワイヤ部分を一時的に支承する。保管スプールに対する切断ワイヤの巻き付けおよび／または巻き出しの間に、ワイヤは多数巻線の受入部には巻き付けられず、保管スプールのワイヤ接触面と直接に接触している。
【００１９】
本発明はまた、ピルグリムサイクル中に大量のワイヤ（つまり非常に長いワイヤ区分）を管理できる。それにもかかわらず、所望の量の新ワイヤを追加すること、および／または、切断エリアにおいて一つ以上のサイクルで進むワイヤ部分から所望の量の使用後ワイヤを取り出すことが可能である。
【００２０】
「本質的に一致する」は、回転軸線が直線上で本質的に整列されることを意味する。正確に同一の直線からのわずかな偏差は、言うまでもなく本発明の範囲内である。切断中に、スプールの配向が大きく分散せず、その相対的配向（アライメント）が５度以内、より好ましくは２度以内、最も好ましくは１度以内に留まることが好適である。
【００２１】
「ワイヤ巻線の密度」は、スプールの軸線に沿った単位長さごとのワイヤの数を意味する。
【００２２】
好ましくは保管スプールにおいて、１０本以下の巻線が互いに重複し、好ましくは５本以下の巻線が重複し、理想的には巻線が重複しない。つまり最適な実施形態では、非重複巻線としての保管スプールに、好ましくは少なくとも保管スプールの最大部分にわたって、切断ワイヤが支承される。
【００２３】
収容スプールと関連の保管スプールとの回転速度は、切断サイクルの主要段階では本質的に等しい。ワイヤが二つのスプールに連続的に（最初に収容スプール、それから保管スプール、またはその逆）巻き付けられる時のみ、ワイヤ受入面の速度が重要である。また、収容スプールおよび保管スプールの表面速度が同一でない場合には、ワイヤはそれが巻き付けられているスプールの速度を取るので、ワイヤは加速も減速もされる必要がないだろう。ワイヤが使い切られると収容スプールの直径が変化するので、回転速度を変えることにより、ワイヤのための張力付加システムによって、またはその両方により、速度差が軽減されなければならない。移行後、一つのスプールから次のスプールへ移るワイヤの張力のわずかな調節を除いて回転速度は同一であるべきである。
【００２４】
ワイヤ案内手段は、保管スプールの軸線に沿って、および／または収容スプールの軸線に沿って、移動可能である。
【００２５】
ある実施形態では、重複巻線としての切断ワイヤを保管スプールにも巻き付けることが可能であろう。しかし、本発明のねらいは、保管スプールの巻線の密度を収容スプールの巻線よりはるかに小さく保つことである。好適な実施形態において、切断ワイヤは非重複巻線として保管スプールに支承される。
【００２６】
切断ワイヤの低摩損性は、巻線密度が低いか非重複巻線を全く含まない保管スプールの使用によって生じる。切断ワイヤの寿命が長いことで、ピルグリムサイクル中に新しいワイヤ部分の追加を抑えられる。
【００２７】
本発明の好適な実施形態は、高いダイヤモンド密度を有するダイヤモンド切断ワイヤの使用を可能にする。典型的なワイヤは、１ｍｍ２につき約６００個のダイヤモンドを有する。高密度のワイヤは、１ｍｍ２につき８００個またはそれ以上のダイヤモンドを表面に有する。好ましくは、ダイヤモンド密度は、切断ワイヤ面１ｍｍ２につきダイヤモンドが少なくとも８００個、より好ましくは少なくとも１，０００個に上る。非重複（またはほとんど重複しない）巻線の保管スプールに対する巻き付け／巻き出しは、切断ワイヤにほとんど影響しない（つまり巻き付けおよび巻き出しから生じる摩耗はわずかである）。ダイヤモンドの摩耗および離脱が回避されうる。
【００２８】
収容スプールと保管スプールの一方が他方のスプールよりも高速で回転しないように、通常は同期化手段が設けられる。このような同期化は、機械的に、または制御デバイスによって実現されうる。ワイヤの歪みおよび／または捻じれを防止するため、保管スプールおよび収容スプールは少なくとも本質的に同じ回転速度で回転すべきである。
【００２９】
本発明のさらなる利点は、以下の通りである。
ワイヤソー全体の切断性能にとって不可欠である切断ワイヤを破損させないことが明白である。
ダイヤモンドワイヤウェハ成形において最大のコスト要因である高価な切断ワイヤの必要性が低い。切断ワイヤの消費量が著しく低減される。切断ワイヤのコストが５０％まで削減されると予測される。
良好なウェハ品質。ワイヤは尖鋭なままであり、撓曲ははるかに少ない。この結果、良好なＴＴＶ、ＳＭ、Ｗａｒｐ値が得られる。
ワイヤが長い間尖鋭なままであることによる切断の高速化。
スプールが長い寿命も有してワイヤ破損がそれほど頻繁に発生しないことによる停止時間の減少。
【００３０】
保管スプールと収容スプールの回転軸線の一致により、非常に単純で省スペースの構造が達成される。一つのスプールから他のスプールへも切断ワイヤの進行は、簡易な手法で実現されうる。
【００３１】
ワイヤ案内手段は好ましくは、ワイヤ供給ユニットの収容スプールの新ワイヤを切断エリアへ漸増的に追加することを容易にする、および／または、摩損ワイヤを受入ユニットの収容スプールへ廃棄するのに適応している。
【００３２】
保管スプールの一端部が収容スプールの一端部と対向するように、保管スプールと収容スプールとが配設される。回転軸線はスプール軸線と一致する。
【００３３】
好ましくは、保管スプールのワイヤ支承面の直径は、収容スプールのワイヤ支承面の直径より大きい。こうして、大量のワイヤを多数の重複巻線として収容スプールに保持することができる。他方、ワイヤは保管スプールでは重複せず、そのため直径は大きくなりうる。直径が大きいと、大量のワイヤを非重複状態で一時的に保管できる。発明の好適な実施形態では、移行領域での保管スプールおよび収容スプールの直径は本質的に同じである。こうして、切断ワイヤを取り出す時、つまり一つのスプールから他のスプールへ取り出しを変更する時に、妨げのない移行となる。最も好適な実施形態では、保管スプールの直径と収容スプールの直径とは本質的に同一である。
【００３４】
代替的実施形態では、保管スプールのワイヤ支承面は収容スプールのワイヤ支承面とほぼ同じ直径を有するか、切断ワイヤが完全に装填された収容スプールの直径は、保管スプールのワイヤ支承面と同じかこれより大きい直径を有する。収容スプールがほどける際に、ワイヤ巻線上面の直径は減少する。（新しいワイヤを含むスプールが使用される時間にわたる）平均では、収容スプールのワイヤ巻線上面と保管スプールのワイヤ支承面との間の差は、可能な限り小さく抑えられる。ワイヤ支承面はワイヤと接触しているスプールの表面であり、ワイヤ巻線上面はこのスプールのワイヤ巻線により形成される上面である。
【００３５】
好ましくは、保管スプールのワイヤ支承面の長さは収容スプールのワイヤ支承面の長さより大きい。こうして、大量の切断ワイヤの一時的保管が可能となる。
【００３６】
収容スプールが好ましくは着脱可能状態で保管スプールに取り付けられることが好ましい。真新しい切断ワイヤをワイヤソーに挿入する時には、新しい切断ワイヤが装填された新しい収容スプールによって空の収容スプールが容易に交換されうる。
【００３７】
好ましくは、収容スプールはスリーブ状に形成されて保管スプールの端部領域に被せられる。このように、着脱可能な収容スプールは軽量でコスト効率の良い構造であり、容易に同心状態で保管スプールに取り付けられる。
【００３８】
好ましくは、ワイヤ供給ユニットとワイヤ受入ユニットの少なくとも一方は、収容スプールの回転速度と保管スプールの回転速度とを互いに同期化することが可能な同期化手段を包含する。こうして、収容スプールと保管スプールとに巻き付けられたワイヤ部分すべてが同じ速度で回転するので、最適なワイヤ管理が可能となる。
【００３９】
収容スプールと保管スプールとは、共通の回転軸上に取り付けられうる。回転軸は、支持体により収容スプールと保管スプールとの間に支持されうる。こうして、収容スプールは片側のみから取り付けられ、ゆえに容易な交換が可能である。取り付け部はさらに、収容スプールから保管スプールへの、またその逆のワイヤの乗り換えを容易にする（静止または回転している自由または強制的な）傾斜またはテーパ部分を有しうる。好ましくは、共通回転軸は、共通機械回転軸などの機械回転軸である。
【００４０】
好ましくは、同期化手段は保管スプールと収容スプールとの間の固定接続であり、保管スプールと収容スプールとは共通の回転駆動装置を有する。耐トルク接続であるこのような機械的接続は、スプールの最適な同期化を保証する。
【００４１】
好ましくは、保管スプールおよび収容スプールの各々は独自の回転駆動装置を有し、同期化手段は、回転駆動装置に接続された制御デバイスである。両方のスプールが個別の駆動装置を有する場合には、回転速度が一時的に変化して、「表面速度」または円周速度（ワイヤが巻き付けられる円周）を均等化する。このようにして、スプール間で切り換わる時のワイヤの衝撃が軽減されうる。しかし、切断手順時間の大部分で回転速度は均等でなければならない。
【００４２】
別々の駆動装置により、スプールの間で切り換わる時のワイヤ速度の急変に対処できる。発生する力を（おそらくは電動式の）ダンサプーリなど他の衝撃減衰手段が容易に補正するように、スプールの間の移行は好ましくは非常に低い回転速度で行われる。トラベラプーリは、ワイヤの張力を所与の公差内に保持しうる。収容スプールと保管スプールとは、通常は同じ回転速度を有する。移行エリアのみで、回転速度の若干の偏差が望ましい。これは、別々の駆動装置を制御する制御デバイスにより達成されうる。
【００４３】
収容スプールと保管スプールとの間の移行エリアでは、ワイヤ張力の変化を軽減するため弾性材料が設けられうる。収容スプールと保管スプールとが切断手順中に互いに同期化されることでワイヤ破損を回避することが重要である。
【００４４】
保管スプールおよび／または収容スプールは、一つのスプールから他のスプールへのワイヤの移行を容易にする移行エリアを有しうる。このエリアは、ワイヤの保管ではなく移行をスムーズにするのに使用される。
【００４５】
好ましくは、保管スプールと収容スプールとの間の移行エリアはテーパ状または丸い形状を有し、好ましくは、保管スプールと収容スプールとの間に挿入される別の部材によって移行エリアが形成される。こうして、収容スプールから保管スプールへのワイヤのスムーズな移行が可能となる。好ましくは、移行エリアは弾性材料で形成される。
【００４６】
好ましくは、ワイヤ案内手段は、保管スプールの回転軸線上で移動可能であるトラベラプーリを包含する。トラベラプーリの線形移動により、規定の状態で、好ましくは非重複巻線として保管スプールにワイヤを巻きつけることができる。トラベラプーリの経路は好ましくは保管スプールの長さにわたって、そして収容スプールの長さにわたって延在するため、新しいワイヤを追加する時に、ワイヤが収容スプールから直接的に取り出されうる。
【００４７】
好ましくは、ワイヤ案内手段は、保管スプールのワイヤ支承面にある少なくとも一つの螺旋ワイヤ案内溝を包含する。こうして非規定状態での巻きを防止できる。
【００４８】
好ましくは、保管スプールはドラムである。ドラムは、好ましくは比較的軟質のシースまたはマントル（ショア硬度９８°など）を有する。軟質のマントルは交換されうる。保管スプールは、マントルが交換される前にドラムが多数回使用されうるように表面を平滑にするため数回の旋盤加工または研削が行われうる弾性コーティングを有しうる。
【００４９】
すでに上述したように、保管スプールは、螺旋ワイヤ案内溝を含むマントルを有しうる。ワイヤはスプールを中心に螺旋状に置かれなければならないので、ワイヤが正しい場所にあることが重要である。螺旋溝は、この目的を効率的にサポートする。
【００５０】
この目的は、インゴット、ブリック、またはコアなど、好ましくは半導体材料である材料の材片を切断するためのワイヤソーによっても達成され、ワイヤソーは、切断エリアと、切断エリアで切断ワイヤを案内するための案内手段と、切断ワイヤを両方向に駆動するための駆動手段とを有し、上記実施形態の一つによるワイヤ管理システムを包含するワイヤソーであることを特徴とする。工作物は何らかの材料、一般的には、サファイア、ホウ素、ガラス、水晶、シリコン等のような脆性材料でありうる。
【００５１】
ワイヤソーは、ウェハ（ワイヤウェブ）の切断、ブリック形成（ＷＯ２０１０１２８０１１Ａ１などに開示されているワイヤメッシュ）、クロッピング、方形化（丸いインゴットを方形または疑似方形、つまり傾斜角部を含む一般的な単結晶形状にする）、ロッドの切断、および／または脆性材料の他の切断動作に使用されうる。
【００５２】
ワイヤソーの切断ワイヤは、供給ユニットの収容スプールと受入ユニットの収容スプールとの間に延在する。つまり、ワイヤの両端部は収容スプールに固定されている。これらのスプールの間で、ワイヤは、工作物を切断するための切断部分（ワイヤウェブや単一切断範囲など）を切断エリアに形成する。
【００５３】
好ましくは、ワイヤソーは、切断ワイヤからワイヤウェブを形成するための少なくとも二つのワイヤ案内ローラを包含する。
【００５４】
しかし本発明は、方形化、ブリック形成、クロッピングにも使用されうる。切断領域は、単一のワイヤ、または隣接するか交差する多数のワイヤを含みうる。ワイヤ間の距離は１ミリメートル未満（ウェハ成形など）か、１０センチメートルより大きい（ブリッキングなど）。本出願において、ワイヤソーの語はこれらのタイプのソーをすべて指す。
【００５５】
インゴット、ブリック、またはコアなどの、好ましくは半導体材料である材料の材片を、上述したようなワイヤソーで切断する切断方法により、この目的が達成され、切断エリアでの切断ワイヤの移動方向は交互に逆転され、第１方向での切断ワイヤの移動中に、ワイヤ供給ユニットおよびワイヤ受入ユニットの一方の保管スプールから切断ワイヤが巻き出される。
【００５６】
好ましくは、保管スプールのワイヤ支承面の長さの少なくとも６０％、好ましくは少なくとも８０％に切断ワイヤが見られなくなるまで第１方向での切断ワイヤの移動が続き、それから切断ワイヤの移動方向が逆転される。方向が変更される時に保管スプールのワイヤ支承面がワイヤを案内するように、ワイヤはワイヤ支承面に少なくとも部分的に残りうる。
【００５７】
好ましくは、第１方向での切断ワイヤの移動中に、切断ワイヤがワイヤ供給ユニットおよびワイヤ受入ユニットの他方の保管スプールに巻き付けられる、および／または、保管スプールのワイヤ支承面の長さの少なくとも４０％、好ましくは少なくとも２０％に切断ワイヤが見られない時に第１方向での切断ワイヤの移動が逆転される。
【００５８】
好ましくは、保管スプールのワイヤ支承面全体に切断ワイヤが見られなくなり新しい切断ワイヤの一部分が収容スプールから巻き出されるまで、第１方向での切断ワイヤの移動が続く。
【００５９】
好ましくは、切断ワイヤは、固定砥粒を有するワイヤ、好ましくはダイヤモンドワイヤである。
【００６０】
ワイヤは、特許文献４から、および／または、特許文献５から周知のような構造化ワイヤでありうる。
【００６１】
特許文献６から、研磨粒子としてナノチューブを使用するワイヤが知られている。
【００６２】
基本的に、張力状態でのスプールに対する巻き付けおよび巻き出しに神経を使うあらゆる種類の切断ワイヤにとって、本発明は有益である。
【００６３】
切断方法の一実施形態は、未使用ワイヤが切断区分へ、好ましくは間隔を空けて追加されることを特徴とする。一ステップで、ワイヤ供給ユニットの収容スプールからワイヤ受入ユニットの保管スプールへ切断エリアを介してワイヤが移送される（「新しい」ワイヤ部分）の追加）。別のステップでは、ワイヤ供給ユニットの保管スプールからワイヤ受入ユニットの収容スプールへ切断エリアを介してワイヤが移送される（摩損ワイヤ部分の廃棄）。
【００６４】
切断ワイヤのための張力付与システムは、好ましくは、移動可能でありプーリアームに取り付けられるダンサプーリから成る。好ましくは、実際張力を測定するために測定デバイスが一体化される。このようにして、トラベラプーリの最適位置を事前に算出することにより、被制御巻き取りプロセスが達成されうる。
【００６５】
切断区分への未使用ワイヤの追加にも同じことが当てはまる。巻線に応じて収容スプール上の正確な位置を取るように、トラベラプーリが制御される。
【００６６】
スプール上のワイヤピッチを正確に考慮に入れるためと、保管スプール上の巻線が互いに接触するのを防止する（非重複）ために、制御が必要とされる。これは高速においても保証される。
【００６７】
好ましくは、第１方向での切断ワイヤの移動中に、切断ワイヤは、ワイヤ供給ユニットの保管スプールから巻き出され、ワイヤウェブの新ワイヤ側を介してワイヤウェブへ移送され、ワイヤウェブの使用後ワイヤ側を介してワイヤウェブからワイヤ受入ユニットへ移送されてここで保管スプールに巻き付けられ、また第２方向での切断ワイヤの移動中に、切断ワイヤは、ワイヤ受入ユニットの保管スプールから巻き出され、ワイヤウェブの使用後ワイヤ側を介してワイヤウェブへ移送され、ワイヤウェブの新ワイヤ側を介してワイヤウェブからワイヤ供給ユニットへ移送され、ここで保管スプールに巻き付けられる。
【００６８】
好ましくは、類似の長さ、好ましくは等しい長さの切断ワイヤ材片がワイヤ供給ユニットの保管スプールから巻き出され新ワイヤ側を介してワイヤウェブへ移送される間に確実にこのスプールに保管されるように、使用後切断ワイヤの自由規定材片は、ワイヤウェブの使用後ワイヤ側を介してワイヤウェブから移送されてワイヤ受入ユニットの収容スプールに巻き付けられる。
【００６９】
好ましくは、類似の長さ、好ましくは等しい長さの切断ワイヤ材片が使用後ワイヤ側を介してワイヤウェブへ移送されワイヤ受入ユニットの保管スプールに巻き付けられる間にワイヤウェブを部分的に取り替えるため、ワイヤ供給ユニットの収容スプールから巻き出された新しい切断ワイヤの自由規定材片がワイヤウェブの新ワイヤ側を介してワイヤウェブへ移送される。
【００７０】
好ましくは、ワイヤ受入ユニットの収容スプールに切断ワイヤを巻き付けた後に、ワイヤ案内手段により誘導されてからワイヤ受入ユニットの保管スプールに巻き付けられる間に、切断ワイヤが切断エリアで同じ方向に移動し続ける。
【００７１】
好ましくは、ワイヤ供給ユニットの保管スプールから切断ワイヤを完全に巻き出した後に、ワイヤ案内手段により誘導されてからワイヤ供給ユニットの収容スプールから巻き出される間に、切断ワイヤが切断エリアで同じ方向に移動し続ける。
【００７２】
好ましくは、ワイヤ案内手段により保管スプールから収容スプールへ、またその逆に誘導される間に、切断ワイヤのワイヤ速度は最大ワイヤ速度の２０％未満、好ましくは５％未満まで低下する。
【００７３】
好ましくは、供給ユニットの保管スプールのワイヤ支承面の長さの少なくとも８０％、好ましくはほぼ１００％に切断ワイヤが存在しなくなるまで、第１方向での切断ワイヤの移動が継続し、それから切断ワイヤの移動方向が逆転し、続いて、受入ユニットの保管スプールのワイヤ支承面の長さの少なくとも８０％、好ましくはほぼ１００％に切断ワイヤが存在しなくなるまで、第２方向での切断ワイヤの移動が継続する。
【００７４】
好ましくは、時間とともに、ワイヤ供給ユニットの収容スプールが完全に空になってから新しい満載収容スプールと交換されなければならなくなり、同じくワイヤ受入ユニットの満載収容スプールが空の収容スプールと交換されなければならなくなるまで、使用後切断ワイヤの一つの材片が次々にワイヤ受入ユニットの収容スプールに載置される。
【００７５】
好ましくは、切断ワイヤの移動方向の複数逆転を包含する第１切断サイクルの間に、切断ワイヤの一区分、好ましくは切断ワイヤの未使用区分は切断エリアに達することなく供給ユニットの回転保管スプールに残るように、切断ワイヤが供給ユニットの回転保管スプールから完全に巻き出される前に切断ワイヤの移動方向が逆転され、切断ワイヤの移動方向の複数逆転を包含する第２切断サイクルの間に、第１サイクルの間に切断エリアに達することなく供給ユニットの回転保管スプールに残っている切断ワイヤの一区分が切断エリアへ給送されるように、好ましくはここまで運ばれるように、切断ワイヤの移動方向が逆転される。好ましくは、第２切断サイクルの間に、切断ワイヤの使用後区分が切断エリアに達することなく受入ユニットの回転保管スプールに保管されるように、切断ワイヤが受入ユニットの回転保管スプールから完全に巻き出される前に切断ワイヤの移動方向が逆転される。
【００７６】
この実施形態では、続いて行われる切断サイクルによって材片を切断することができ、各切断サイクルは重複していてもいなくても、切断ワイヤの異なる区分を使用する。切断ワイヤの一区分が（ダイヤモンドなどの粒子の摩耗により）完全に摩損した場合には、切断ワイヤの隣接区分が使用されうる。このような未使用区分は供給ユニットの保管スプールに見られる。最初に、少なくとも２回の異なる切断サイクルのためのワイヤ長さを用意するように、供給ユニットの保管スプールに充分なワイヤが保管される。（使用後）区分から（未使用）区分への切り替えは、供給ユニットの収容スプールから新しい（未使用）ワイヤを巻き出すことなく、また受入ユニットの収容スプールへ古い（使用後）ワイヤを巻き付けることなく、行われうる。このようにして、切断（つまり材片、インゴット、ブリック、またはコアの完全な切断）の間に、保管スプールと収容スプールとの間の移行が回避される。
【００７７】
この実施形態では、切断される材料への力または圧が切断サイクルを通してより均一に分散される。新しいワイヤは、同じスプール、つまり同じ直径の保管スプールから引き出されて、ワイヤ張力の突然の変化が生じないので、新しいワイヤの追加は力または圧力を変化させない。保管スプールのワイヤは、ワイヤウェブのワイヤと概ね同じ張力（２０Ｎ〜２５Ｎなど）を有する。しかし、収容スプールのワイヤは通常、低い張力（７Ｎ）を有する。上記の実施形態によれば、ワイヤが同じスプールから引き出されるので、切断ワイヤ速度、切断ワイヤの張力などの変化は生じない。こうして、細溝（ワイヤの軸方向の溝）等、不均質なスプール表面によるウェハの理想的切断からの逸脱が、効率的に回避されうる。
【００７８】
好ましくは、切断方法は、受入ユニットの保管スプールから受入ユニットの収容スプールへ切断ワイヤの使用後区分を移送するステップを包含し、この移送ステップは、受入ユニットの保管スプールから切断ワイヤの使用後区分を完全に巻き出す（つまり切断エリアへ、または切断エリアまで一時的に移動させる）ことと、続いて、切断ワイヤの移動方向を逆転させることと、切断ワイヤの使用後区分を受入ユニットの収容スプールへ巻きつけることにより、好ましくは行われる。この実施形態では、受入ユニットの保管スプールに一時的に保管されたワイヤを当該の収容スプールへ取り出すための別のステップが実施される。
【００７９】
好ましくは、受入ユニットの保管スプールから受入ユニットの収容スプールへの切断ワイヤの使用後区分の移送ステップは、二つの連続切断の間に行われる。この実施形態では、材料の切断は二つの切断の間に、つまりワイヤウェブ（切断エリア）と接触している（切断対象）材料が存在しない時に実施されるので、この移送ステップによって材料の切断は影響を受けない。
【００８０】
発明の別の態様は、切断ワイヤの不均一な摩耗に関する。通常、切断ワイヤは区分単位で使用される、つまり第１切断サイクルでは切断ワイヤの第１区分が使用され（つまり切断される材片と接触し）、次のサイクルでは次の切断ワイヤが切断に使用されるのである。切断ワイヤの区分は、この区分の端部領域では特に不均一な摩耗に抵抗し、まだ「尖鋭である」切断ワイヤの損失、つまり最適とは言えない切断ワイヤの利用につながることが認識されている。
【００８１】
この問題は、好ましくはインゴット、ブリック、またはコアの形をした好ましくは半導体材料である材料の材片を、切断エリアで案内される切断ワイヤを有するワイヤ管理システムを包含するワイヤソーにより切断する、特に上述した実施形態の一つによる切断方法によって解決され、ワイヤ管理システムは、ワイヤソーの切断エリアへ切断ワイヤを供給するためのワイヤ供給ユニットと、ワイヤソーの切断エリアから切断ワイヤを受け入れるためのワイヤ受入ユニットとを包含し、
切断ワイヤの移動方向の複数逆転を包含する第１切断サイクルの間に、切断ワイヤの第１区分が材片の切断のための切断エリアで使用され、第１切断サイクルの逆転の間に切断される材片と少なくとも一度は接触するすべてのワイヤ点により第１区分が画定され、
切断ワイヤの移動方向の複数逆転を包含する第２切断サイクルの間に、材片を切断するための切断エリアで切断ワイヤの第２区分が使用され、第２区分は第１区分と異なっており、第２切断サイクルの逆転の間に、切断される材片と接触するすべての点により画定され、
切断ワイヤの第１区分と切断ワイヤの第２区分とが、その端部領域で重複する。
【００８２】
原理的には、発明のこの態様は、上述した実施形態から独立している。供給ユニットと受入ユニットとは異なる手法で構築され、例えば（収容スプールを追加せずに）保管スプールのみを各々が包含しうる。しかし、前述の実施形態の一つとの組み合わせは好適な実施形態をもたらす。
【００８３】
この切断方法は、切断ワイヤを、特に切断サイクル中に使用される切断ワイヤ区分の端部領域も、最適な形で利用できる。原理は、対応の図に関して以下で詳細に説明される。
【００８４】
好ましくは、切断サイクル内での切断ワイヤの２回の連続逆転の間に、材片と本質的に同じ有効相互作用長さを有するワイヤ点の範囲の外側に、重複範囲が配置される。また、切断中にワイヤウェブを完全に横切るがワイヤ案内ロールの間に残っているワイヤ区分、言わば完全利用区分は、平均するとすべてが同じ摩損を有する。その相互作用長さはすべて同じである。理想的には、第２切断区分は第１切断サイクルの完全利用区分の端部を始点とする。こうして、摩損の少ない領域が重複する。驚くことに、こうして重複区分の少ない摩損は完全利用区分と同じ量の摩損に達することが分かっている。この実施形態では、許容限度を超える切断ワイヤ区分の摩損が防止される。上記実施形態による方法を実行するための制御ユニットが設けられることは、当業者には明白である。制御ユニットは特に、切断サイクル、逆転、ピルグリム長さ、ワイヤ張力等を制御する。
【００８５】
本発明のさらなる実施形態は図および従属請求項に記される。参照符号のリストは開示の一部を成す。これから図面により発明が詳細に説明される。
【図面の簡単な説明】
【００８６】
【図１】本発明によるワイヤ管理システムを有するワイヤソーを示す図である。
【図２】切断ワイヤ部分を支承する保管スプールを備えるワイヤ管理システムを示す図である。
【図３】切断ワイヤが保管スプールから部分的に巻き出された図２のワイヤ管理システムを示す図である。
【図４】切断ワイヤが保管スプールから完全に巻き出された図２のワイヤ管理システムを示す図である。
【図５】切断ワイヤが保管スプールにより部分的に受け入れられた図２のワイヤ管理システムを示す図である。
【図６】切断ワイヤが収容スプールから巻き出されている図２のワイヤ管理システムを示す図である。
【図７】各スプールが別々の回転駆動装置を有するワイヤ管理システムの実施形態を示す図である。
【図８】保管スプールと収容スプールとが互いに固定接続された実施形態を示す図である。
【図９】スプールの間の移行エリアが切断ワイヤのスムーズな移行のための案内要素を有する実施形態を示す図である。
【図１０】移行エリアがテーパ形状を有する実施形態を示す図である。
【図１１】フランジを備えない収容スプールを示す図である。
【図１２ａ】進歩的切断方法のステップを示す図である。
【図１２ｂ】進歩的切断方法のステップを示す図である。
【図１２ｃ】進歩的切断方法のステップを示す図である。
【図１２ｄ】進歩的切断方法のステップを示す図である。
【図１２ｅ】進歩的切断方法のステップを示す図である。
【図１２ｆ】進歩的切断方法のステップを示す図である。
【図１２ｇ】進歩的切断方法のステップを示す図である。
【図１２ｈ】進歩的切断方法のステップを示す図である。
【図１２ｉ】進歩的切断方法のステップを示す図である。
【図１２ｊ】進歩的切断方法のステップを示す図である。
【図１２ｋ】進歩的切断方法のステップを示す図である。
【図１２ｌ】進歩的切断方法のステップを示す図である。
【図１２ｍ】進歩的切断方法のステップを示す図である。
【図１３ａ】代替的な進歩的切断方法のステップを示す図である。
【図１３ｂ】代替的な進歩的切断方法のステップを示す図である。
【図１３ｃ】代替的な進歩的切断方法のステップを示す図である。
【図１３ｄ】代替的な進歩的切断方法のステップを示す図である。
【図１３ｅ】代替的な進歩的切断方法のステップを示す図である。
【図１３ｆ】代替的な進歩的切断方法のステップを示す図である。
【図１３ｇ】代替的な進歩的切断方法のステップを示す図である。
【図１３ｈ】代替的な進歩的切断方法のステップを示す図である。
【図１３ｉ】代替的な進歩的切断方法のステップを示す図である。
【図１３ｊ】代替的な進歩的切断方法のステップを示す図である。
【図１３ｋ】代替的な進歩的切断方法のステップを示す図である。
【図１３ｌ】代替的な進歩的切断方法のステップを示す図である。
【図１４】切断方法の実施形態のステップを示す図である。
【図１５】切断方法の実施形態のステップを示す図である。
【図１６】切断方法の実施形態のステップを示す図である。
【図１７】切断方法の実施形態のステップを示す図である。
【図１８】切断方法の実施形態のステップを示す図である。
【図１９】切断方法の実施形態のステップを示す図である。
【図２０】切断方法の実施形態のステップを示す図である。
【図２１】切断方法の実施形態のステップを示す図である。
【図２２】切断ワイヤ区分の摩損または摩耗を示す図である。
【図２３】切断ワイヤ区分の摩損または摩耗を示す図である。
【発明を実施するための形態】
【００８７】
図１は、インゴット、ブリック、またはコアの形の、好ましくは半導体、サファイア、または水晶材料である材料の材片を切断するためのワイヤソー８を示す。ワイヤソー８は、切断エリア１３と、切断エリア１３で切断ワイヤ３を案内することにより切断ワイヤ３からワイヤウェブを形成するワイヤガイドローラ１４とを有する。ワイヤソー８は、第１方向と、第１方向と反対である第２方向に交互に切断ワイヤ３を駆動するための駆動装置１５を包含する。本発明によるワイヤソーは、方形化装置の場合のように互いに交差するワイヤも有することがある。加えて、切断エリアの切断ウェブは単一ワイヤから成ることもある。
【００８８】
ワイヤソー８は、ワイヤソー８の切断エリア１３へ切断ワイヤ３を供給するためのワイヤ供給ユニット５と、ワイヤソー８の切断エリア１３から切断ワイヤ３を受け入れるためのワイヤ受入ユニット６とを包含するワイヤ管理システム７を有する。いわゆる「ピルグリムモード」では、実際の移動方向に応じて、供給ユニット５が受入機能も有して受入ユニット６が供給機能を有するように、ワイヤ３の移動方向は交互に逆転される。しかし、図の実施形態によれば、新しい切断ワイヤ部分を切断エリア１３に追加する時には、追加ワイヤ部分を供給ユニット５から巻き出すことによってこれが行われ、供給ユニット５は新しいワイヤを含む収容スプール１を包含する。受入ユニット６は、廃棄するために使用後ワイヤを収集するための収容スプール１を包含する。
【００８９】
図１の実施形態では、供給ユニット５と受入ユニット６の両方は類似の構造のものである。
【００９０】
各ユニットは、切断ワイヤ３を重複巻線として支承するための回転収容スプール１と、切断ワイヤ３を巻線（不図示）として一時的に受け入れるための回転保管スプール２とを包含する。好ましくは、保管スプール２の巻線は重複しない。
【００９１】
図２から分かるように、保管スプール２の回転軸線２ｂは収容スプール１の回転軸線１ｂと一致している。
【００９２】
各ユニットは、当該の保管スプール２に巻き付けられる（またはこれから巻き出される）時に切断ワイヤ３を案内するのに適応したワイヤ案内手段９を包含するため、保管スプール２上のワイヤ巻線は互いに重複しない、および／または、収容スプール１上の巻線より低い密度を有する。本件実施形態において、ワイヤ案内手段９は、スプール１，２の回転軸線に対して本質的に平行である方向に移動可能であるトラベラプーリ４である。
【００９３】
図２は、供給ユニット５（または受入ユニット６）をより詳細に示す。保管スプール２のワイヤ支承面２ａの直径は、収容スプール１のワイヤ支承面１ａの直径より大きい。保管スプール２のワイヤ支承面２ａの長さは、収容スプール１のワイヤ支承面１ａの長さより大きい。
【００９４】
図２は、切断ワイヤ３が保管スプール２にほぼ完全に巻き付けられた状況を示している。切断エリア１３の方向に切断ワイヤ３を移動させる（図１３）と、ワイヤは保管スプール２から連続的に巻き出される。図３で切断ワイヤは保管スプール３から部分的に巻き出され、図４で保管スプール２には切断ワイヤ３が存在しない。巻き出し手順の間、トラベラプーリ４は右から左へ継続的に進む。
【００９５】
ワイヤ供給ユニット５とワイヤ受入ユニット６の各々は、収容スプール１の回転速度と保管スプール２の回転速度とを互いに同期化することが可能な同期化手段を包含する。図３乃至６および８乃至１０で、同期化手段はスプール１，２の間の固定機械接続から成る。この場合にこれは、スプール１，２が同じ回転速度を有することを確実にする。この事例では、保管スプール２と収容スプール１とは共通の回転駆動装置を有する。
【００９６】
図７に示された本発明の実施形態では、保管スプール２および収容スプール１の各々が独自の回転駆動装置１０，１１、例えばモータを有する。この実施形態において、同期化手段は、両方の回転駆動装置１０，１１に接続されてその回転速度を制御する制御デバイス１６である。同期化手段が同期化に使用される場合には、収容スプール１と保管スプール２が単独で加速または減速されて、ワイヤ収容面またはワイヤ巻線上面のそれぞれの直径の差を補正する。スプール１，２は単独で回転されるので、その速度も、単独で、また時間並列状態でも変更されうる。また、保管スプール２のワイヤ収容面が（収容スプールのワイヤ巻線上面よりも）大きな直径を有している場合には、収容スプールから保管スプールへワイヤが乗り換える時にそのワイヤ巻線上面が同じ速度を有するように、収容スプールの回転速度の方が若干高い。保管スプール２から収容スプール１へ進む時にも同じことが可能である。
【００９７】
好ましくは、収容スプール１は着脱可能式に保管スプール２に取り付けられる。これは、例えばロック解除可能なスナップ動作機構により達成されうる。ワイヤソーへ新しいワイヤを供給する時には、完全なスプールが保管スプールへ、または共回回転軸に装着されうる。
【００９８】
図８，９，１０の実施形態では、保管スプール２と収容スプール１との間の移行エリア１２が設けられる。移行エリア１２は単純な接続ロッドでありうる（図８）か、移行エリア１２で切断ワイヤを保護するための案内手段でありうる（図９）。
【００９９】
図１０では、移行エリア１２はテーパ形状を有する。移行エリア１２は、保管スプール２と収容スプール１との間に挿入される別の部材により形成され、ワイヤを保護するため軟質でありうる。
【０１００】
収容スプール１と保管スプール２とは、共通の回転軸上に取り付けられうる（図８）。回転軸は、支持体により収容スプール１と保管スプール２との間に支持されうる（図９）。このようにして、収容スプール１は片側のみから取り付けられ、ゆえに容易な交換が可能である。取り付けはさらに、収容スプール１から保管スプール２へ、またその逆のワイヤ３の乗り換えを容易にする（静止または回転している自由または強制的な）傾斜部分（図９）を有しうる。支持体はさらに、システムの剛性を高める。
【０１０１】
保管スプール２のワイヤ支承面２ａは、螺旋経路を備えるワイヤ案内溝を包含しうる。
【０１０２】
収容スプール１と受入スプール２とは同期的に回転する、つまり同じ回転速度を有する。新しいワイヤスプールの開始時に、ワイヤはたいてい供給ユニット５の収容スプール１上に、しかしある程度は保管スプール２の周りにも存在する。ワイヤは（ワイヤをロールに巻き付けるかロールから巻き出す時にワイヤを位置決めするロールである）トラベラプーリ４の上を進む。切断ワイヤ３の末端部は、受入ユニット５の収容スプール１に接続されている。
【０１０３】
図１１は、端部にフランジを備えていない収容スプール１の実施形態を示す。ワイヤ３を台形形状に配設すると、ワイヤが正しい場所に保持される。フランジがない場合には、収容スプールと保管スプールとの間の移行が容易になりうる。フランジは、移行エリア１２のテーパ形状も形成しうる。
【０１０４】
ワイヤ３が切断を開始すると、収容スプール１と関連の保管スプール２とが回転する（両方のスプールの上部が図２の図面の平面から移動する）。ワイヤ３は保管スプールから巻き出され、プーリアーム２１により保持されたダンサプーリ２０が、ワイヤの張力を一定に、また保管スプール２の回転軸線に対して多かれ少なかれ垂直に保ち、トラベラプーリ４は、スプール上でのワイヤ巻線の正しい位置決めを確実にする。
【０１０５】
保管スプール２を回転させると、さらに保管スプール２から実質上すべてのワイヤ３が取り出される。この時に二つのオプションがある。
ａ）新しいワイヤ部分を収容スプールから作業区分に追加すること。この事例では、ワイヤが収容スプール１から巻き出される（つまり保管スプール２が反対方向に回転して保管スプール２の底部が図面の平面から移動する）前に、保管スプール２の回転が逆転され、ワイヤ３はワイヤウェブから巻き出されて保管スプールに再び巻き付けられる。
ｂ）新しいワイヤを作業区分に追加すること。保管スプール２と同期的に回転する収容スプール１から新しいワイヤが巻き出されるように、保管スプール２がさらに（保管スプール２の上側が図面の平面から）回転される。正しい量の新しいワイヤが収容スプール１から引き出されると、この方法は、項目ａ）に記載されているように、使用後ワイヤを保管スプール２に（トラベラプーリ４が図６に示されたような位置にある場合には、保管スプール２に達するため最初は収容スプール１に）巻き付ける。（理想的には、ワイヤが保管スプールに巻き付けられなければならない時に、トラベラプーリ４はこの位置にはない。移行が起こった時にトラベラプーリ４が保管スプールのすぐ隣に配置されるように、位置が制御および監視されうる。これは、収容スプールから多かれ少なかれワイヤを追加することなどにより達成される。）
【０１０６】
以下に留意することが重要である。
通常は、
‐ワイヤウェブを一度通過したワイヤ区画は、普通は消耗していない。そのためこの区画は好ましくは新しいワイヤと同じく丁寧に扱われる。また、好ましくは受入ユニット６も保管スプール２を有する。
‐ワイヤ移動方向が逆転される前にワイヤが減速される。これは、例えば５００メートルの使用後ワイヤが保管スプール２から巻き出される時間の大部分において、ワイヤ３が最大速度を有することを意味する。使用後ワイヤ部位の端部の近くで、ゆえに保管スプール２の（左）端部の近くで、ワイヤ３が減速される。この低速は、収容スプール１への移行を行うのに有益である。スプールのワイヤ巻線上面の直径が正確に同一であることはほぼ決してなく、ゆえにこの上面でのワイヤの速度は同じではないので、ワイヤの張力は移行中に急速に変化するだろう。システム、特にダンサは、この変化を補正するのに充分に高速でなければならない。低速では、変化はゆっくりであり、システムが良好に補正を行う。
【０１０７】
スプールの間の移行部では、ダンサプーリ２０を取り出して衝撃を回避するため速度差が調節されうる。ダンサプーリ２０は、できる限り早く中立位置に達するべきである。
【０１０８】
収容スプール１の直径（実際には、まだスプールにあるワイヤをワイヤ接触面１ａの直径に加えたもの）が時間とともに変化して、保管スプール２の直径は（いくらかの摩損を除いて）一定であるので、ワイヤは移行中に衝撃を受ける。収容スプールと保管スプールの両方の直径が一定である場合のみ、衝撃は生じない。ワイヤ速度が低い場合には、ワイヤ３の衝撃を吸収するのに使用されるシステムは、この衝撃の均衡を保つのに充分なほど高速でありうる。このシステムは、特許文献２および特許文献３でのウェイトに匹敵しうる。好ましくは（上流または下流で）トラベラプーリ４に隣接する収容スプール／保管スプールと切断エリア（ワイヤウェブなど）との間の経路へ、追加の衝撃吸収体が挿入されうる。別の手法は、収容スプールおよび保管スプールの相対速度を変化させることであり、図７に示されているように、両方が独自の駆動装置を有する場合に可能である。重要なのは、衝撃を吸収すること、および／または、保管スプールから出るワイヤの速度と少し後に収容スプールから出るワイヤの速度とをできる限り近く維持しようとすることである。スプール１，２のワイヤ巻線上面の直径がかなり異なっている場合には、速度をできる限り等しくしないことが有益である。例えば、収容スプールのワイヤ巻線上面が小径を有する場合には、巻き付けられなければならない追加ワイヤができる限り高速で巻かれるように、（トラベラプーリ４と保管スプール２とトラベラプーリ４と収容スプール１との間でのワイヤ角度の差により生じる）このスプールの速度は若干高い。ワイヤが保管スプールに巻き付けられない場合には、回転速度の分断も起こりうる。
【０１０９】
トラベラプーリ４は好ましくは、トラベラプーリ４と保管スプール２または収容スプール１との間に延在するワイヤ区画をこのスプールのワイヤ支承面２ａと（自動または手動で）整合させるのに適応している。収容スプール１のワイヤ支承面２ａの直径は、（摩損のみで変化する）保管スプール２のものと比較して大きく変化するので、トラベラプーリ４が、収容スプール１を補助している時には調節可能であるとともに、保管スプール２を補助している時には好ましくはロック可能であるため保管スプール２を補助している時には位置が固定される場合に、とりわけ好適である。この位置での良好な整合およびロックは、ワイヤのより安定した作用を確実にし、摩損の減少、良好なウェハ品質、そしてワイヤ破損の減少につながる。
【０１１０】
ロールとドラムとが互いに機械的に接続される場合には、ワイヤ３が保管スプール２にある限り最初の回転速度を有することも可能であり、（収容スプールが小径を有すると仮定すると）保管スプール２上に存在しなくなった時のみ、（収容および保管スプールの両方の）回転速度が上昇する。
【０１１１】
目標はワイヤウェブでのワイヤ速度を制御することであり、それはこうして最高のウェハ品質が結果的に得られるからである。ワイヤウェブの外側でのワイヤ速度は、収容スプールと保管スプールとの間の移行またはワイヤの張力の制御のため、一時的にこの速度から逸脱しうる。
【０１１２】
図１２ａから１２ｍは、材片を切断する進歩的方法の実施形態を示す。
【０１１３】
初期化（図１２ａ〜１２ｄ）
【０１１４】
図１２ａでは、ワイヤウェブ１７がセットされ、切断ワイヤの末端部が受入ユニット６の収容スプール１（つまりワイヤウェブ１７の使用後ワイヤ側１９）に接続される。使用後ワイヤ側１９は、受入ユニット６へ向かう方向にワイヤが切断エリア１３から離れる側である。新ワイヤ側１８は、供給ユニット５へ向かう方向にワイヤが切断エリア１３から離れる側である。「新」および「使用後」は、供給ユニット５の収容スプールが新しい（未使用）ワイヤを支承して受入ユニット６の収容スプールが古い（すでに使用された）ワイヤを支承しているという事実を指す。図１２ａは、基本的に同一の直径を持つ収容スプールおよび保管スプールを示す。
【０１１５】
図１２ｂでは、切断ワイヤ３は第１方向に移動し、供給ユニット５の収容スプール１から新ワイヤ側１８を介してワイヤウェブ１７へ移送され、使用後ワイヤ側１９を介して受入ユニット６の保管スプール２へ移送されるため、ワイヤ支承面は、好ましくはその全長にわたって、ワイヤ部分を非重複巻線として保持する。
【０１１６】
図１２ｃでは、ワイヤウェブ１７から新ワイヤ側１８を介して進む切断ワイヤ３が供給ユニット５の保管スプール２に巻き付けられるのに対して、受入ユニット６の保管スプール２から切断ワイヤ３が巻き出される。切断ワイヤは第２方向に移動する。所望であれば、ワイヤウェブ１７はすでに切断された材料である。
【０１１７】
図１２ｄでは、供給ユニット５の保管スプール２が完全に補充されている。ワイヤ３は移動しない。初期化が終了する。
【０１１８】
切断（図１２ｅ，１２ｆ）
【０１１９】
図１２ｅでは、切断が進行中である。切断ワイヤ３は第１方向に移動し、ワイヤ３が受入ユニット６の保管スプール２に巻き付けられる。
【０１２０】
図１２ｆでは、切断が進行中である。切断ワイヤ３は第２方向に移動し、ワイヤ３は供給ユニット５の保管スプール２に巻き付けられる。
【０１２１】
使用後（古い摩損）ワイヤの外向き移送と新しい（未使用の新品）ワイヤの装填（図１２ｇ〜１２ｍ）
【０１２２】
図１２ｇでは、供給ユニット５の保管スプール２が完全に補充されている。第１切断サイクルが終了している。ワイヤ３は移動しない。ワイヤソー８は現在、次のソーイングサイクルの準備状態にある。図１２ｅおよび１２ｆのステップは、適切な頻度で反復されうる。代替的に、ワイヤソー８は、使用後ワイヤの（受入ユニットの収容スプールへの）外向き移送と、新しいワイヤの（供給ユニットの収容スプールからの）装填の準備が整っている。
【０１２３】
図１２ｈでは、ワイヤウェブ１７から古いワイヤ側１９を介して到達した「使用後」ワイヤ（古いまたは摩損したワイヤ）の一部分が、受入ユニット６の収容スプール１に巻き付けられる。受入ユニット６の収容スプール１に巻き付けられる使用後ワイヤの量は、特定のプロセス要求に応じて自由に選択されうる。所望であれば、ワイヤウェブ１７は継続して材料を切断できる。好ましくは、ワイヤ速度は遅い。
【０１２４】
図１２ｉでは、収容スプールでの巻きプロセスが終了し、ワイヤ３は移動しながら収容スプール１と保管スプール２との間の移行エリアを通過する。所望であれば、ワイヤウェブ１７は材料を切断できる。好ましくは、ワイヤ速度は遅い。
【０１２５】
図１２ｊでは、切断ワイヤ３は第１方向に移動し、ワイヤ３は受入ユニット６の保管スプール２に巻き付けられる。後者は、例えば９５％まで補充されている。
【０１２６】
図１２ｋでは、ワイヤ３が減速されている。ワイヤ３は、供給ユニット５の保管スプール２から完全に取り出されている。この時、供給ユニット５の収容スプール２から新ワイヤ側１８を介して到達した「新しい」ワイヤ（未使用または新品ワイヤ）のワイヤウェブ１７への追加が、図１２ｌに示されているように開始する。
【０１２７】
図１２ｍでは、受入ユニット６の保管スプール２が再び完全に補充され、使用後（古い摩損）ワイヤの外向き移送と新しい（未使用の新品）ワイヤ部分の装填とのステップが完了している。この時、図１２ｆ〜図１２ｅ〜１２ｆなどに示されたステップにより切断プロセスが継続する。
【０１２８】
図１３ａから１３ｌは、材片を切断する進歩的方法の代替的実施形態を示す。
【０１２９】
初期化（図１３ａ〜１３ｃ）
【０１３０】
図１３ａでは、ワイヤウェブ１７がセットされ、切断ワイヤの末端部が、ワイヤウェブ１７の使用後ワイヤ側１９の受入ユニット６の収容スプール１に接続される。
【０１３１】
図１３ｂでは、切断ワイヤ３が第１方向に移動し、供給ユニット５の収容スプール１から新ワイヤ側１８を介してワイヤウェブ１７へ移送され、使用後ワイヤ側１９を介して受入ユニット６の保管スプール２へ移送されるため、ワイヤ支承面は非重複巻線としてワイヤ部分を保持する。
【０１３２】
しかし、後の段階で追加ワイヤのための場所を取っておくために、受入ユニット６の保管スプール２の全長にワイヤが補充されるわけではない。この状況は図１３ｃに示されている。
【０１３３】
切断（図１３ｄ〜１３ｆ）
【０１３４】
図１３ｄでは、切断は進行中である。切断ワイヤ３は第２方向に移動し、ワイヤ３は供給ユニット５の保管スプール２に巻き付けられる。
【０１３５】
後の段階で追加ワイヤのための場所を残しておくために、供給ユニット５の保管スプール２の全長にワイヤが補充されるわけではない。この状況は１３ｅに示されている。
【０１３６】
図１３ｆでは、切断が進行中である。切断ワイヤ３は第１方向に移動し、図１３ｃの状況に達するまで、受入ユニット６の保管スプール２にワイヤ３が巻き付けられる。図１３ｄ〜１３ｆのステップは、適切な頻度で反復されうる。
【０１３７】
新しい（未使用の新品）ワイヤの装填、使用後（古い摩損）ワイヤの外向き移送（図１３ｇ〜１３ｌ）
【０１３８】
図１３ｇでは、図１３ｃに示されたステップと反対に、ワイヤ３は第１方向に移動を継続している。供給ユニット５の収容スプール１の新ワイヤの所望の部分が、新ワイヤ側１８を介してワイヤウェブ１７へ移送され、ワイヤウェブ１７から使用後ワイヤ側１９を介して到達した切断ワイヤ３が同じ量だけ、受入ユニット６の保管スプール２へ移送される。
【０１３９】
図１３ｈでは、ワイヤウェブ１７への新しいワイヤの追加が完了している。
【０１４０】
図１３ｉで、切断ワイヤ３は、受入ユニット６の保管スプール２から使用後ワイヤ側１９を介してワイヤウェブ１７へ移送され、切断ワイヤはワイヤウェブ１７から新ワイヤ側１８を介して供給ユニット５の保管スプール２へ移送される。所望であれば、ワイヤウェブ１７は継続して材料を切断できる。
【０１４１】
図１３ｊでは、供給ユニット５の保管スプール２が補充される。図１２および１３に示された方法はそれぞれ、互換的に使用されうる。状態が図１２ｇおよび１３ｊに示されたものと等しい時には、図１２および図１３に示された方法の間で切り換えられうる。
【０１４２】
図１３ｋでは、ワイヤウェブ１７から使用後ワイヤ側１９を介して進んだワイヤの「使用後」部分（古いまたは摩損したワイヤ）が、受入ユニット６の収容スプール１に巻き付けられる。古いワイヤの量は、特定のプロセス要求に応じて自由に選択されうる。ワイヤ受入ユニット６の収容スプール１に所望の量の古いワイヤが巻き付けられた後に、ワイヤ３は移動しながら収容スプール１と保管スプール２との間の移行エリアを通過する。所望であれば、図１３ｋに示されたステップ全体の間に、ワイヤウェブ１７が継続して材料を切断できる。好ましくは、ワイヤ速度は遅い。
【０１４３】
図１３ｌでは、新しい（未使用、新品）ワイヤ部分の装填と使用後（古い摩損）ワイヤ部分の外向き移送とのステップが完了している。この時、図１３ｆ〜図１３ｄ〜図１３ｅ〜図１３ｆなどに示されたステップにより切断プロセスが継続する。
【０１４４】
これらの図には、ワイヤ移動方向が記されている。ワイヤ移動の間には、通常、切断動作が実施される。
【０１４５】
図１４〜２１は、切断方法の代替的実施形態を示す。
【０１４６】
図１４は、切断ワイヤ３の移動方向の複数逆転を包含する第１切断サイクルを示す。第１切断サイクルの間、供給ユニット５の保管スプール２から切断ワイヤ３が完全に巻き出される前に、切断ワイヤ３の移動方向が逆転するため、第１切断サイクルの間に、切断ワイヤ３の区分２２、好ましくは未使用区分は、切断エリア１３に達することなく供給ユニット５の保管スプール２に保管／残留する。
【０１４７】
第１切断サイクルに続く移行的ステップでは、前の未使用区分２２からの切断ワイヤ３も切断エリア１３に運ばれる、つまりワイヤウェブの一部になるか、少なくとも切断エリア１３の方へ移動する。切断ワイヤの未使用区分２２は連続的に小さくなる（図１５）。
【０１４８】
図１６は、切断ワイヤ３の移動方向の複数逆転を包含する第２切断サイクルを示す。第１切断サイクルの間に切断エリア１３に達することなく供給ユニット５の保管スプール２に保管された切断ワイヤ３の区分が切断エリア１３へ運ばれるように、そして第２切断サイクルの間に受入ユニット６の保管スプール２から切断ワイヤ３が完全に巻き出される前に切断ワイヤ３の移動方向が逆転されるように、第２切断サイクルの間に切断ワイヤ３の移動方向が逆転されるため、第２サイクルの間に（材料を切断するための切断ワイヤ３の移動方向の連続逆転で）切断エリア１３に達することなく切断ワイヤ３の使用後区分２３が受入ユニット６の保管スプール２に保管される。供給ユニット５の保管スプール２上のほぼすべてのワイヤが使用されるまで、図１５のステップが反復される。
【０１４９】
やはり図１５乃至１６に見られるのは、時間とともにより多くの使用後切断ワイヤ（点線で図示）が受入ユニット６の保管スプール２に一時的に保管されることである。
【０１５０】
保管スプール２上のすべてのワイヤが使い切られると、供給ユニット５の保管スプール２からすべてのワイヤが取り出される。これは図１７に示されている。
【０１５１】
好適な実施形態において、切断方法は、受入ユニット６の保管スプール２から受入ユニット６の収容スプール１へ切断ワイヤ３の使用後区分を移送するステップを包含する。これは―図１８によれば―切断ワイヤ３の使用後区分を受入ユニット６の保管スプール２から完全に巻き出し（つまり、切断エリア１３つまりワイヤウェブへ引っ張り）、それから切断ワイヤ３の移動方向を逆転させ、受入ユニット６の収容スプール１に切断ワイヤ３の使用後区分を巻き付けることによって行われる（図１９）。図１４乃至２３の図は概略的に過ぎないことに言及しておく。特に、切断ワイヤは言うまでもなく多数の重複巻線／層として収容スプールに巻き付けられうる。
【０１５２】
受入ユニット６の保管スプール２から受入ユニット６の収容スプール１へ切断ワイヤ３の使用後区分を移送するステップは、二つの連続切断の間に行われる、つまりこのステップの間には、材料の材片は切断されないか切断ワイヤと接触していない。
【０１５３】
この時、供給ユニット５の保管スプール１から切断エリア１３の方へ新しいワイヤが巻き出される（図２０）。切断エリア１３の反対側では、受入ユニット６の保管スプール２に切断ワイヤ３が巻き付けられる。図２１では、新しい切断サイクルが開始される。この時、図１４から２０に記されたステップが反復されうる。図中の切断ワイヤは概略的に描かれていることと、ワイヤ（特に点線で描かれたワイヤ）はスプールの表面全体で連続的に延在することとに言及しなければならない。
【０１５４】
この実施形態の大きな利点は、使用後と未使用の切断ワイヤ３の交換が、収容スプール１からワイヤを引き出すことなく、切断の間に（つまりワイヤウェブが材片と接触している間に）達成されうることである。二つの連続逆転の間に保管スプールから巻き出されるかこれに巻き付けられるこのワイヤ長さを、保管スプール２に最初に保管されていた切断ワイヤの長さより短くすることができる。使用後から未使用の切断ワイヤ３の交換は、第１方向での移動の間のピルグリム長さと続く反対方向での移動の間のピルグリム長さとの間の差によって、継続的に行われうる。
【０１５５】
以下の方法（図２２および２３）の基本的概念は、主に上述した実施形態から独立している。しかし、上述したワイヤ管理システムによりこの方法を実施することは、当然可能である。
【０１５６】
図２２および２３は、切断ワイヤ区分の摩損の程度を示す。横座標は切断ワイヤ３の長さに、縦座標は摩損または磨耗度に対応する。ＭＡＸの表記は、切断に許容可能である切断ワイヤの可能最大磨耗度を示す。この点を越えると、ワイヤ破損および低品質の切断についての不許容のリスクにつながる。切断ワイヤ３の移動方向の複数逆転を包含する切断サイクルで使用されるワイヤ区分の摩耗プロフィールは、ほぼ台形の形状を有する。磨耗関数の平坦域は、二つの連続する切断サイクルの逆転の間に、材片と本質的に同じ有効相互作用長さを有するワイヤ点の範囲２７、つまり完全利用区分を指す。こうしてこれらの摩損は同じである。切断の開始時には、平坦域に達するまでワイヤ区分の摩損が増大する。切断の終了時に、切断ワイヤ区分の摩損は再び減少する。この勾配は、材片との効果的相互作用の長さがワイヤ区分の端部に向かって小さくなるという事実を発端とし、この区分のワイヤ点は、ワイヤの移動方向が逆転する前にワイヤウェブ全体移動しない。結果的に、これらの点には、完全利用区分の点ほど多くの切断材料は「見られない」。切断サイクルの間に、切断される材料の一つの点のみと接触するワイヤ点が存在する。当該のワイヤ区分の端部でのこれらの摩損の差を相殺するため、以下の方法が提案される。
【０１５７】
好ましくはインゴット、ブリック、またはコアの形の好ましくは半導体材料である材料の材片を切断する方法は、切断エリア１３を案内される切断ワイヤ３を有するワイヤ管理システム７を包含するワイヤソー８により実施される。ワイヤ管理システム７は、ワイヤソー８の切断エリア１３へ切断ワイヤ３を供給するためのワイヤ供給ユニット５と、ワイヤソー８の切断エリア１３から切断ワイヤ３を受け入れるためのワイヤ受入ユニット６とを包含する。ワイヤ管理システムが上述したものと同じ構造を有する必要はない。
【０１５８】
切断ワイヤ３の移動方向の複数逆転を包含する第１切断サイクルの間に、材片を切断するため切断ワイヤ３の第１区分２４が切断エリア１３で使用され、第１区分２４は、第１切断サイクルの逆転の間に、切断される材料の材片と少なくとも一度は接触するすべてのワイヤ点により画定される。時間とともに、摩耗は連続的に大きくなる（図２２の点線はワイヤの中間磨耗状態を示す）。
【０１５９】
切断ワイヤ３の移動方向の複数逆転を包含する第２切断サイクルの間に、材料の材片を切断するため切断ワイヤ３の第２区分２５が切断エリア１３で使用され、第２区分２５は第１切断区分２４とは異なっており、第２切断サイクルの逆転の間に、切断される材片と接触するすべての点により画定される。
【０１６０】
切断ワイヤ３の第１区分２４と切断ワイヤ３の第２区分２５とは、その端部領域で重複して、重複範囲２６を形成する。端部領域では―図２３から分かるように―第１切断サイクルから生じる摩損の程度は、第２切断サイクルから生じる摩損の程度に達し、ワイヤ区分２４，２５の端部領域に仮想三角形を追加することにより、驚くことにワイヤ長全体に沿って一定の摩損が得られる。このようにして、重複切断区分を常に使用することにより切断ワイヤ３が最適な程度、好ましくは１００％まで活用されて、切断ワイヤ３の領域全体の最初と最後の端部のみに最適未満の摩損が見られる。
【０１６１】
好ましくは、重複範囲２６は、外側に、好ましくは切断サイクルの２回の連続逆転の間に材片と本質的に同じ有効相互作用長さを有するワイヤ点の範囲２７，２８（図２２の平坦領域）にすぐ隣接して配置される。この実施形態は図２３に示されており、重複範囲２６は、摩耗プロフィールの二つの斜面形状範囲を包含する。
【０１６２】
１回の切断後に最大摩損（ＭＡＸ）に達しない場合には、収容スプールから新ワイヤ部分を追加することなくワイヤ区分が第２連続切断に使用されうる。第２切断の後に最大摩損（ＭＡＸ）に達しない場合には、収容スプールから新ワイヤ部分を追加することなく第３連続切断にワイヤ区分が使用されうる―というやり方である。１回の完全切断に不充分なワイヤ品質である場合には、１回の切断に多数のワイヤ区分が使用されうる。代替的に、数回の完全な切断の後に完全利用区分でワイヤがほぼ完全に摩損するように、切断の詳細（特にピルグリム長さおよび切断圧力）が選択されうる。
【０１６３】
本発明はこれらの実施形態に限定されない。他の変形は当業者には自明であり、以下の請求項に明記された発明の範囲に含まれると考えられる。上記明細書に記載された個々の特徴は、特に図に関して、互いに組み合わされて、他の実施形態を形成する、および／または、必要な変更を加えたうえで、請求項に記載されたものと残りの説明に適用されうる。
【符号の説明】
【０１６４】
１  収容スプール
１ａ  収容スプール１のワイヤ支承面
１ｂ  収容スプール１の回転軸線
２  保管スプール
２ａ  保管スプール２のワイヤ支承面
２ｂ  保管スプール２の回転軸線
３  切断ワイヤ
４  トラベラプーリ
５  ワイヤ供給ユニット
６  ワイヤ受入ユニット
７  ワイヤ管理システム
８  ワイヤソー
９  ワイヤ案内手段
１０  回転駆動装置
１１  回転駆動装置
１２  移行エリア
１３  切断エリア
１４  ワイヤ案内ローラ
１５  駆動手段
１６  制御デバイス
１７  ワイヤウェブ
１８  新ワイヤ側
１９  使用後ワイヤ側
２０  ダンサプーリ
２１  プーリアーム
２２  切断ワイヤ３の未使用区分
２３  切断ワイヤ３の使用後区分
２４  切断ワイヤ３の第１区分
２５  切断ワイヤ３の第２区分
２６  重複範囲
２７  （完全）摩損ワイヤ点の範囲、完全利用区分
２８  （完全）摩損ワイヤ点の範囲、完全利用区分
【図１】
2018065247.tif 000003
【図２】
2018065247.tif 000004
【図３】
2018065247.tif 000005
【図４】
2018065247.tif 000006
【図５】
2018065247.tif 000007
【図６】
2018065247.tif 000008
【図７】
2018065247.tif 000009
【図８】
2018065247.tif 000010
【図９】
2018065247.tif 000011
【図１０】
2018065247.tif 000012
【図１１】
2018065247.tif 000013
【図１２ａ】
2018065247.tif 000014
【図１２ｂ】
2018065247.tif 000015
【図１２ｃ】
2018065247.tif 000016
【図１２ｄ】
2018065247.tif 000017
【図１２ｅ】
2018065247.tif 000018
【図１２ｆ】
2018065247.tif 000019
【図１２ｇ】
2018065247.tif 000020
【図１２ｈ】
2018065247.tif 000021
【図１２ｉ】
2018065247.tif 000022
【図１２ｊ】
2018065247.tif 000023
【図１２ｋ】
2018065247.tif 000024
【図１２ｌ】
2018065247.tif 000025
【図１２ｍ】
2018065247.tif 000026
【図１３ａ】
2018065247.tif 000027
【図１３ｂ】
2018065247.tif 000028
【図１３ｃ】
2018065247.tif 000029
【図１３ｄ】
2018065247.tif 000030
【図１３ｅ】
2018065247.tif 000031
【図１３ｆ】
2018065247.tif 000032
【図１３ｇ】
2018065247.tif 000033
【図１３ｈ】
2018065247.tif 000034
【図１３ｉ】
2018065247.tif 000035
【図１３ｊ】
2018065247.tif 000036
【図１３ｋ】
2018065247.tif 000037
【図１３ｌ】
2018065247.tif 000038
【図１４】
2018065247.tif 000039
【図１５】
2018065247.tif 000040
【図１６】
2018065247.tif 000041
【図１７】
2018065247.tif 000042
【図１８】
2018065247.tif 000043
【図１９】
2018065247.tif 000044
【図２０】
2018065247.tif 000045
【図２１】
2018065247.tif 000046
【図２２】
2018065247.tif 000047
【図２３】
2018065247.tif 000048